(57)【要約】【課題】  マウント側に防塵機構を備えた交換レンズと、この交換レンズを装着するカメラ本体と、を備えて交換レンズの防塵を実現したレンズ交換式カメラを提供する。【解決手段】  レンズ交換式カメラは、カメラ本体と、防塵機構10を備えた交換レンズと、を備え、この防塵機構10は、可動環61と、固定環63と、可動環61に軸着され固定環63側に突出する開閉制御突起65bを備えた２枚の防塵扉65と、防塵扉65を閉方向に付勢する閉鎖用弾性体71と、環連結用弾性体73と、を備えてなり、防塵機構10は、可動環61がレンズ鏡筒内で回動すると、防塵扉65の開閉制御突起65bが固定環63の防塵扉係止レール63b内を摺動するも防塵扉係止レール63b内の一端面と係止して摺動を停止し、防塵扉65の回転軸はそのまま可動環61と共に回動するため、防塵扉65が開く機構とされている。【選択図】    図４
2011017808.tif 000002
【特許請求の範囲】
【請求項１】
光学系を備えたレンズ鏡筒と、
該レンズ鏡筒においてカメラ本体へマウントされる側の端部に固定され中央に開口を有するレンズ側マウント部材と、を備えた交換レンズにおいて、
前記レンズ鏡筒内であって前記レンズ側マウント部材の近傍には、常時は前記開口部を覆い、前記レンズ側マウント部材を介してカメラ本体へ装着されたときには前記開口部から待避する可動部材を有する防塵機構が配置されていることを特徴とする交換レンズ。
【請求項２】
前記防塵機構は、前記可動部材として、当該交換レンズのカメラ本体への装着時又は当該カメラ本体からの脱着時の前記レンズ鏡筒の回転に連動して開閉する防塵扉を備えていることを特徴とする請求項１に記載の交換レンズ。
【請求項３】
前記防塵機構は、
前記レンズ鏡筒の内側に回動可能に配置された可動環と、
前記レンズ鏡筒内において当該レンズ鏡筒と共に回動するよう配置された固定環と、
前記可動環に軸着され前記固定環側に突出する開閉制御突起を備えた２枚の前記防塵扉と、
前記防塵扉を閉方向に付勢する閉鎖用弾性体と、
前記可動環と前記固定環を連結する環連結用弾性体と、から構成されていることを特徴とする請求項２に記載の交換レンズ。
【請求項４】
前記レンズ側マウント部材は、環状面に円弧状の摺動レールとする開口を備え、
前記可動環は、後端面に前記レンズ側マウント部材の摺動レールに貫挿される回動支持突起を備えることを特徴とする請求項３に記載の交換レンズ。
【請求項５】
前記可動環は、前端面における中心から略対称となる位置に前記防塵扉が軸着される２つの回動軸を備えると共に、前記２つの回動軸の近傍位置に夫々防塵扉用突起を備え、また、前記固定環と環連結用弾性体を介して連結される連結突起を備え、
前記固定環は、後端面に前記可動環の連結突起との間で前記環連結用弾性体が固定される可動環牽引突起を備えると共に、環状面には前記防塵扉の開閉制御突起が摺動する防塵扉係止レールとしての２つの開口が形成され、
前記閉鎖用弾性体は、一端が前記可動環の防塵扉用突起に固定されると共に、他端が前記防塵扉の開閉制御突起に固定されて前記防塵扉を閉方向に付勢し、
前記環連結用弾性体は、一端が前記可動環の連結突起に固定されると共に、他端が前記固定環の可動環牽引突起に固定されていることを特徴とする請求項３又は請求項４に記載の交換レンズ。
【請求項６】
カメラ側マウント部材を備えたカメラ本体と、請求項１乃至請求項５のいずれかに記載の交換レンズと、を備え、
前記カメラ側マウント部材は、前記レンズ側マウント部材の摺動レール内において前記可動環の回動支持突起と係止する係止突起を備え、
前記交換レンズを、前記カメラ側マウント部材に前記レンズ側マウント部材を挿嵌させた状態で回動させると、前記カメラ側マウント部材の係止突起と前記可動環の回動支持突起とが係止して当該回動支持突起が前記摺動レール内を摺動し、前記可動環も共に前記レンズ鏡筒内で回動することを特徴とするレンズ交換式カメラ。
【発明の詳細な説明】
【技術分野】
【０００１】
本発明は、防塵機構を備えた交換レンズと、この交換レンズを備えたレンズ交換式カメラに関する。
【背景技術】
【０００２】
レンズ交換式の一眼レフ等のカメラでは、レンズ交換時にマウント部分からカメラ本体内に塵等が侵入する、或いは、交換レンズのマウント取り付け側に塵等が付着することがあった。これらの塵は、撮像画像にノイズとして写り込むことがあり、撮像画像の質が下がるという問題を引き起こしていた。
【０００３】
近年のレンズ交換式カメラでは、防塵機能を備えたものが多々販売されており、防塵機能についての提案もなされている。例えば、特開２００６−２９３０９７号公報（特許文献１）では、防塵用の光学素子と、光路上の塵等を検出する塵検出手段（塵有無判別手段）と、塵検出手段で塵を検出した場合に光学素子を振動させる加振手段と、を備えたカメラについての提案がなされている。
【０００４】
この特許文献１の提案では、レンズ交換時にカメラ本体内に塵等が混入し、レンズや撮像素子等に塵が付着した場合であっても、この塵を検出して除去することができるため、撮像画像に塵によるノイズが発生することを防止できる。
【先行技術文献】
【特許文献】
【０００５】
【特許文献１】特開２００６−２９３０９７号公報
【発明の概要】
【発明が解決しようとする課題】
【０００６】
上述したように、近年のカメラは防塵機能を有しているものが多々ある。しかしながら、交換レンズのマウント側に関しては、交換レンズをカメラ本体から脱着した後、マウント用のレンズキャップ（リアキャップ）等を装着することで塵等が付着するのを防止していた。このような交換レンズでは、カメラ本体から交換レンズを脱着した後、レンズキャップを装着するまでの間にタイムラグがあり、その間、外部にマウント側のレンズが露出してしまうため、このレンズに塵が付着する危険性がある。また、例えカメラ本体内の防塵機能が優れている場合であっても、交換レンズ側に付着した塵がカメラ本体内に侵入することがあった。
【０００７】
また、レンズ交換時に、外した交換レンズへのキャップ装着及び装着する交換レンズのキャップ外し等に手間と時間を要するため、レンズ交換時にカメラ本体や交換レンズ内に侵入する塵等によって投影画像にノイズが発生してしまうこともあった。
【０００８】
本発明は、このような従来技術の問題点に鑑みてなされたものであり、マウント側に防塵機構を備えた交換レンズと、この交換レンズ及びカメラ本体を備えて交換レンズの防塵を実現したレンズ交換式カメラと、を提供する。
【課題を解決するための手段】
【０００９】
本発明は、光学系を備えたレンズ鏡筒と、該レンズ鏡筒においてカメラ本体へマウントされる側の端部に固定され中央に開口を有するレンズ側マウント部材と、を備えた交換レンズにおいて、前記レンズ鏡筒内であって前記レンズ側マウント部材の近傍には、常時は前記開口部を覆い、前記レンズ側マウント部材を介してカメラ本体へ装着されたときには前記開口部から待避する可動部材を有する防塵機構が配置されていることを特徴とする。
【００１０】
また、本発明の交換レンズにおいて、前記防塵機構は、前記可動部材として、当該交換レンズのカメラ本体への装着時又は当該カメラ本体からの脱着時の前記レンズ鏡筒の回転に連動して開閉する防塵扉を備えていることを特徴とする。
【００１１】
さらに、本発明の交換レンズにおいて、前記防塵機構は、前記レンズ鏡筒の内側に回動可能に配置された可動環と、前記レンズ鏡筒内において当該レンズ鏡筒と共に回動するよう配置された固定環と、前記可動環に軸着され前記固定環側に突出する開閉制御突起を備えた２枚の前記防塵扉と、前記防塵扉を閉方向に付勢する閉鎖用弾性体と、前記可動環と前記固定環を連結する環連結用弾性体と、から構成されていることを特徴とする。
【００１２】
また、本発明の交換レンズにおいて、前記レンズ側マウント部材は、環状面に円弧状の摺動レールとする開口を備え、前記可動環は、後端面に前記レンズ側マウント部材の摺動レールに貫挿される回動支持突起を備えることを特徴とする。
【００１３】
さらに、本発明の交換レンズにおいて、前記可動環は、前端面における中心から略対称となる位置に前記防塵扉が軸着される２つの回動軸を備えると共に、前記２つの回動軸の近傍位置に夫々防塵扉用突起を備え、また、前記固定環と環連結用弾性体を介して連結される連結突起を備え、前記固定環は、後端面に前記可動環の連結突起との間で前記環連結用弾性体が固定される可動環牽引突起を備えると共に、環状面には前記防塵扉の開閉制御突起が摺動する防塵扉係止レールとしての２つの開口が形成され、前記閉鎖用弾性体は、一端が前記可動環の防塵扉用突起に固定されると共に、他端が前記防塵扉の開閉制御突起に固定されて前記防塵扉を閉方向に付勢し、前記環連結用弾性体は、一端が前記可動環の連結突起に固定されると共に、他端が前記固定環の可動環牽引突起に固定されていることを特徴とする。
【００１４】
本発明のレンズ交換式カメラは、カメラ側マウント部材を備えたカメラ本体と、上述したような交換レンズと、を備え、前記カメラ側マウント部材は、前記レンズ側マウント部材の摺動レール内において前記可動環の回動支持突起と係止する係止突起を備え、前記交換レンズを、前記カメラ側マウント部材に前記レンズ側マウント部材を挿嵌させた状態で回動させると、前記カメラ側マウント部材の係止突起と前記可動環の回動支持突起とが係止して当該回動支持突起が前記摺動レール内を摺動し、前記可動環も共に前記レンズ鏡筒内で回動することを特徴とする。
【発明の効果】
【００１５】
本発明によれば、マウント側に防塵機構を備えた交換レンズと、この交換レンズ及びカメラ本体を備えて交換レンズの防塵を実現したレンズ交換式カメラと、を提供することができる。
【図面の簡単な説明】
【００１６】
【図１】本発明の実施例に係るレンズ交換式カメラの外観斜視図である。
【図２】本発明の実施例に係る交換レンズの一部を透過させた斜視図である。
【図３】本発明の実施例に係る防塵機構の分解斜視図である。
【図４】本発明の実施例に係る防塵機構の斜視図である。
【図５】本発明の実施例に係る防塵機構の使用状態を説明する正面模式図である。
【発明を実施するための形態】
【００１７】
以下、本発明を実施するための形態について述べる。本発明のレンズ交換式カメラ1は、撮像素子や撮像信号処理回路等を内蔵するとともにカメラ側マウント部材21を備えたカメラ本体2と、防塵機構10を備えた交換レンズ5と、を備える。
【００１８】
そして、交換レンズ5は、光学系を備えたレンズ鏡筒51と、レンズ鏡筒51においてカメラ本体2へマウントされる側の端部に固定され中央に開口を有するレンズ側マウント部材55と、を備え、レンズ鏡筒51内であってレンズ側マウント部材55の近傍には、常時は開口部を覆い、レンズ側マウント部材55を介してカメラ本体2へ装着されたときには開口部から待避する可動部材を有する防塵機構10が配置されている。
【００１９】
また、防塵機構10は、レンズ鏡筒51の内部に回動可能に配置された可動環61と、レンズ鏡筒51内においてレンズ鏡筒51と共に回動するよう配置された固定環63と、可動環61に軸着され固定環63側に突出する開閉制御突起65bを備えた２枚の防塵扉65と、を備える。さらに、防塵機構10は、防塵扉65を閉方向に付勢する閉鎖用弾性体71と、可動環61と固定環63を連結する環連結用弾性体73と、を備えている。
【００２０】
また、レンズ側マウント部材55は、環状面に円弧状の摺動レール55cとする開口を備えている。この摺動レール55cは、交換レンズ5をカメラ本体2に装着する場合に回動させる回転角よりも僅かに大きな回転角を中心角として形成されている。
【００２１】
そして、可動環61は、後端面にレンズ側マウント部材55の摺動レール55cに貫挿される回動支持突起61aを備えている。また、可動環61は、前端面における中心から略対称となる位置に防塵扉65が軸着される２つの回動軸61bを備える。さらに、可動環61は、固定環63と環連結用弾性体73を介して連結される連結突起61dを備え、２つの回動軸61bの近傍位置に夫々防塵扉用突起61cを備えている。
【００２２】
固定環63は、後端面に可動環61の連結突起61dとの間で環連結用弾性体73が固定される可動環牽引突起63aを備える。また、固定環63は、環状面に防塵扉65の開閉制御突起65bが摺動する防塵扉係止レール63bとしての２つの開口が形成されている。
【００２３】
閉鎖用弾性体71は、一端が可動環61の防塵扉用突起61cに固定されると共に、他端が防塵扉65の開閉制御突起65bに固定されて防塵扉65を閉方向に付勢している。また、環連結用弾性体73は、一端が可動環61の連結突起61dに固定されると共に、他端が固定環63の可動環牽引突起63aに固定されている。
【００２４】
カメラ側マウント部材21は、レンズ側マウント部材55の摺動レール55c内において可動環61の回動支持突起61aと係止する係止突起26を備え、交換レンズ5をカメラ本体2に装着するためにカメラ側マウント部材21にレンズ側マウント部材55を挿嵌させた状態で回動させると、カメラ側マウント部材21の係止突起26と可動環61の回動支持突起61aとが係止して回動支持突起61aが摺動レール55c内を摺動し、可動環61も共にレンズ鏡筒51内で回動する。
【００２５】
そして、防塵機構10は、可動環61がレンズ鏡筒51内で当該レンズ鏡筒51に対して相対的に回動すると、防塵扉65の開閉制御突起65bが固定環63の防塵扉係止レール63b内を摺動するも防塵扉係止レール63b内の一端面と係止して摺動を停止し、防塵扉65の回転軸はそのまま可動環61と共に回動するため、防塵扉65が開く機構とされている。
【実施例】
【００２６】
以下、本発明の実施例を図に基づいて詳説する。図１は、本発明の実施例に係るレンズ交換式カメラ1の外観斜視図である。本実施例のレンズ交換式カメラ1は、交換レンズ5のマウント側に後述する防塵機構10を備えていることを特徴とする。尚、本実施例において、前とはカメラ本体2のマウント側、つまり、交換レンズ5を装着する側を指し、後とはカメラ本体2のマウント側と対向する側を指す。また、交換レンズ5においては、後がマウント側を指し、前はマウント側と対向する端面側を指す。さらに、本実施例における回転方向は、カメラ本体を前方から後方に向かって見た状態、つまり、正面視における方向を指す。
【００２７】
そして、レンズ交換式カメラ1は、図１に示すように、カメラ本体2と、このカメラ本体2に着脱可能な交換レンズ5と、から構成される。カメラ本体2は、前端面に交換レンズ5が装着される開口を備えており、この開口にカメラ側マウント部材21が固定されている。このカメラ側マウント部材21は、環状体であり、内周面に交換レンズ5を係合する複数の係合受部25が内側に突出するように形成されている。また、カメラ側マウント部材21の前端面には、後述する交換レンズ5の防塵機構10を作動させる係止突起26が形成されている。さらに、カメラ側マウント部材21の所定の位置には、交換レンズ5を装着する場合に指標となる指標マーク28が記されている。なお、カメラ本体2は、図示していないが、撮像素子や撮像信号処理回路等を内蔵している。
【００２８】
図２は、本実施例に係る交換レンズ5の一部を透過させた斜視図である。交換レンズ5は、図２に示すように、レンズ鏡筒51と、図示しないがレンズ鏡筒51内に配置された可動レンズ群や固定レンズ群から構成される撮像光学系と、レンズ鏡筒51の後端に装着されたレンズ側マウント部材55と、レンズ鏡筒51の内側におけるレンズ側マウント部材55の近傍に配置された防塵機構10と、を備える。
【００２９】
レンズ鏡筒51は、円筒体であり、上述したように内部に複数のレンズ群及び駆動基板、レンズモータ等が収納され、マウント側、つまり、後端にレンズ側マウント部材55が固定されている。また、レンズ鏡筒51の所定位置には、交換レンズ5をカメラ本体2に装着する場合に指標となる指標マーク52が付されている。そして、交換レンズ5は、レンズ鏡筒51の指標マーク52の位置をカメラ本体2の指標マーク28に合わせた状態でカメラ本体2に交換レンズ5のマウント部分を挿嵌し、カメラ本体2に対して交換レンズ5を右方向に回動させることによりカメラ本体2に装着される。
【００３０】
レンズ側マウント部材55は、中央に開口を有する環状体であり、後方に突出するようにカメラ本体2のカメラ側マウント部材21内に挿嵌される挿嵌部55aが形成されている。また、この挿嵌部55aの後端近傍には、カメラ側マウント部材21の係合受部25と同数の係合部55bが外方に突出するように形成されている。この係合部55bは、挿嵌部55aをカメラ側マウント部材21の開口内に挿嵌し、交換レンズ5を所定角度右方向に回動させた場合、カメラ側マウント部材21の係合受部25と係合する。よって、交換レンズ5は、係合部55bと係合受部25が係合することにより、カメラ本体2に強固に固定されることとなる。
【００３１】
さらに、レンズ側マウント部材55の環状面には、カメラ本体2に交換レンズ5を装着した場合にカメラ側マウント部材21の係止突起26が摺動する、摺動レール55cとしての開口が形成されている。この摺動レール55cは、レンズ側マウント部材55の中心を中心とする円弧状に形成されており、この摺動レール55cの円弧の長さは、交換レンズ5をカメラ本体2に装着する場合に交換レンズ5を回動させる回転角よりも僅かに大きな回転角とされた中心角によって形成される長さとされている。
【００３２】
図３は、本実施例の防塵機構10の分解斜視図である。防塵機構10は、図３に示すように、レンズ鏡筒51の内部に回動可能に配置された可動環61と、可動環61の前方に位置しレンズ鏡筒51に固定された固定環63と、可動環61と固定環63の間に位置し可動環61に軸着された回動可能な２枚の防塵扉65と、可動環61と防塵扉65を連結する閉鎖用弾性体71としての２本の引っ張りバネと、可動環61と固定環63を連結する環連結用弾性体73としての引っ張りバネと、から構成されている。
【００３３】
可動環61は、外周縁と内周縁の間に所定幅の環状とされた平面を有した環状体であり、レンズ鏡筒51の中心軸上に中心が位置するよう、レンズ鏡筒51の内部に可動に配置されている。この可動環61の後端面には、レンズ側マウント部材55の摺動レール55c内を摺動する回動支持突起61aが形成されている。また、可動環61の前端面には、防塵扉65が軸着される２つの回動軸61bが形成され、この回動軸61bの近傍には、防塵扉65と閉鎖用弾性体71を介して連結される２つの防塵扉用突起61cが形成されている。さらに、可動環61の前端面には、固定環63と環連結用弾性体73を介して連結される連結突起61dが形成されている。
【００３４】
また、可動環61の２つの回動軸61bは、可動環61の中心に対して略対称となる位置、つまり、可動環61の中心を通る径線の直線上に夫々が形成されている。さらに、２つの防塵扉用突起61cは、回動軸61bが形成されている位置よりも周方向における左側近傍の位置において、可動環61の中心に対して略対称となる位置に夫々形成されている。また、連結突起61dは、前端面における回動支持突起61aが形成された位置の近傍に形成されている。
【００３５】
防塵扉65は、角が丸く形成された略台形状であって、下底部分を延長するように軸着部65aが形成され、この軸着部65aの近傍に開閉制御突起65bが前方に突出するように形成されている。そして、防塵扉65は、軸着部65aで可動環61の回動軸61bに軸着されている。また、防塵扉65は、開閉制御突起65bで可動環61の防塵扉用突起61cと閉鎖用弾性体71を介して連結されている。よって、防塵扉65は、閉鎖用弾性体71によって閉方向、つまり、右回転方向へ付勢されている。また、２枚の防塵扉65は、閉状態時に下底部分が対向して接触することによりレンズ側マウント部材55の開口、つまりは、交換レンズ5のマウント側の光学系を封止し、交換レンズ5の光学系に塵等が付着することを防止している。つまり、防塵扉65は、レンズ側マウント部材55の開口を塞ぐ可動部材として機能する。
【００３６】
固定環63は、可動環61よりも小さな外径と、可動環61よりも大きな内径とを有する環状体であり、レンズ鏡筒51の中心軸上に中心が位置するようレンズ鏡筒51に固定されている。また、固定環63は、外周縁上の所定の位置から外方に突出した位置に後方に突出するように形成された可動環牽引突起63aを備えている。この固定環63の可動環牽引突起63aは、可動環61の連結突起61dと略同心円上に位置しており、可動環牽引突起63aと可動環61の連結突起61dとの間には、環連結用弾性体73が挿入されている。また、固定環63は、この可動環牽引突起63aが可動環61の連結突起61dの周方向における右側位置に来るようレンズ鏡筒51に固定されている。つまり、可動環61は、環連結用弾性体73によって右回転方向に付勢されることとなる。
【００３７】
さらに、固定環63は、環状面に防塵扉65の開閉制御突起65bが貫挿する２つの防塵扉係止レール63bとしての開口を備えている。この防塵扉係止レール63bは、固定環63の中心を中心とした円弧状の開口であり、２つの防塵扉係止レール63bは、固定環63の中心に対して略対称となる位置に夫々形成されている。また、この防塵扉係止レール63bの円弧の長さは、上述した摺動レール55cの中心角よりも小さな中心角によって形成される長さとされている。
【００３８】
次に、以上のような部材によって形成された防塵機構10における各部材の組み合わせ状態について述べる。図４は、本実施例の防塵機構10の斜視図である。図４に示すように、可動環61は、レンズ側マウント部材55の摺動レール55cに回動支持突起61aを貫挿させた状態でレンズ側マウント部材55の近傍に配置されている。つまり、交換レンズ5を後方から前方に向かって見た場合、レンズ側マウント部材55の摺動レール55c内に回動支持突起61aが突出した状態となっている。また、交換レンズ5をカメラ本体2から取り外した状態においては、回動支持突起61aとレンズ側マウント部材55の摺動レール55cの右側端面との間に間隙が形成されている。この間隙は、交換レンズ5をカメラ本体2に装着する際に、より具体的には、レンズ鏡筒51の指標マーク52の位置をカメラ本体2の指標マーク28に合わせた状態で交換レンズ5のマウント部をカメラ本体2のマウント部に挿嵌した際に、カメラ本体2の係止突起26が貫挿する間隙である。
【００３９】
そして、可動環61の前端面には、２枚の防塵扉65が閉鎖用弾性体71によって閉方向に付勢された状態で軸着されている。さらに、防塵扉65の前方には、固定環63が防塵扉65の開閉制御突起65bを防塵扉係止レール63b内に貫挿させた状態でレンズ鏡筒51に固定されている。また、固定環63の可動環牽引突起63aと可動環61の連結突起61dには、環連結用弾性体73が装着され、可動環61を右回転方向に付勢している。
【００４０】
次に、防塵機構10の動作について述べる。図５は、本実施例の防塵機構10の使用状態を説明する正面模式図である。防塵扉65が閉状態のとき、つまり、交換レンズ5がカメラ本体2から取り外された状態のとき、図５（ａ）に示すように、可動環61の回動支持突起61aは、レンズ側マウント部材55の摺動レール55c内において周方向における右側端面近傍に位置しており、摺動レール55cの右側端面と回動支持突起61aの間には上述したようにカメラ本体2の係止突起26が貫挿される間隙が形成されている。
【００４１】
また、防塵扉65が閉状態のとき、閉鎖用弾性体71及び環連結用弾性体73は収縮した状態であり、防塵扉65の開閉制御突起65bは、防塵扉係止レール63b内の周方向における右側端面近傍に位置している。
【００４２】
そして、交換レンズ5をカメラ本体2に装着した場合、つまり、レンズ鏡筒51の指標マーク52の位置をカメラ本体2の指標マーク28に合わせた状態で交換レンズ5のマウント部をカメラ本体2のマウント部に挿嵌し、交換レンズ5を右方向に回動させることによりカメラ本体2のカメラ側マウント部材21と交換レンズ5のレンズ側マウント部材55を係合させた場合、図５（ｂ）に示すように、可動環61の回動支持突起61aがカメラ本体2の係止突起26と係止し、可動環61は係止突起26と回動支持突起61aとの係止状態によってカメラ本体2に対して停止した状態となり、レンズ側マウント部材55や固定環63はレンズ鏡筒51と共にカメラ本体2に対して相対的に回動する。
【００４３】
つまり、レンズ側マウント部材55や固定環63は、レンズ鏡筒51と固定されているため、レンズ鏡筒51が回動すると共に回動するが、可動環61は、レンズ鏡筒51内で可動とされているため、レンズ鏡筒51に対しては左方向に回動することとなる。
【００４４】
そして、上述したようにレンズ鏡筒51をカメラ本体2に対して回動させた場合、可動環61の回動支持突起61aは、レンズ側マウント部材55の摺動レール55c内において周方向における右側端面近傍から左側端面近傍まで摺動する。このとき、固定環63は、レンズ鏡筒51と共にカメラ本体2に対して回動し、防塵扉65の開閉制御突起65bは、固定環63の防塵扉係止レール63b内の周方向における右側端面近傍から左側端面近傍に移動し、固定環63が更に回動すると、防塵扉係止レール63bの周方向における左側端面と係止して右方向に付勢される。よって、防塵扉65は、軸を中心に回動し、扉が開いた状態となり交換レンズ5の光路上から外れた状態となる。このとき、閉鎖用弾性体71及び環連結用弾性体73は、伸張した状態となっており、可動環61は、右回転方向へ付勢されることとなる。
【００４５】
尚、固定環63の防塵扉係止レール63bが円弧状に形成されているのは、回動支持突起61aの動きに対して防塵扉65の開閉動作に遊びを持たせるためであり、回動支持突起61aが微稼働すると防塵扉65が開いてしまうといったことを防止している。
【００４６】
そして、交換レンズ5をカメラ本体2から脱着した場合、閉鎖用弾性体71及び環連結用弾性体73の弾性力によって可動環61がレンズ鏡筒51内で回動して元の位置に復帰し、防塵扉65も閉方向に回動して防塵扉65が閉じ、レンズ側マウント部材55の開口が塞がれることとなる。
【００４７】
本実例の交換レンズ5によれば、レンズ側マウント部材55の開口を内側から封止する防塵機構10が配置されていることにより、リアキャップ等を装着せずとも交換レンズ5のマウント側端部に位置する光学系に塵等が付着することを防止できる。
【００４８】
また、防塵機構10が、カメラ本体2への装着時又は当該カメラ本体2からの脱着時にレンズ鏡筒51の回転に合わせて、つまりレンズ鏡筒51の回転に連動して、開閉する防塵扉65を備えているため、カメラ本体2に交換レンズ5を装着するときや脱着するときにおいても交換レンズ5のマウント側端部に位置するレンズが外気に触れることがないため、塵等が交換レンズ5のレンズに付着することを確実に防止できることとなる。
【００４９】
そして、防塵機構10を、可動環61と、固定環63と、防塵扉65と、から構成することにより、可動環61がレンズ鏡筒51内で当該レンズ鏡筒51に対して相対的に回動すると、防塵扉65が開く防塵機構10を提供できる。
【００５０】
さらに、レンズ側マウント部材55に摺動レール55cを形成し、可動環61がこの摺動レール55cに貫挿される回動支持突起61aを備えた構成とすることにより、カメラ本体2に交換レンズ5を装着すると自動で防塵扉65が開く機構を実現できる。
【００５１】
また、固定環63が防塵扉係止レール63bを備え、この防塵扉係止レール63b内で防塵扉65の開閉制御突起65bが摺動可能な構成とすることにより、防塵扉65の開閉動作に遊びを持たせることができるため、回動支持突起61aが微稼働すると防塵扉65が開閉することがない、使用環境に優れた防塵機構10とすることができる。
【００５２】
そして、このような防塵機構10を備えた交換レンズ5とすることにより、カメラ本体2のカメラ側マウント部材21に１つの突起(26)を形成するだけで、交換レンズ5をカメラ本体2に装着した場合にはレンズ側マウント部材55の開口を塞いでいた防塵扉65が自動で開き、脱着した場合にはレンズ側マウント部材55の開口を塞ぐ防塵扉65が自動で閉じる、という機能を備えた交換レンズ5、及び該交換レンズ5を利用可能なレンズ交換式カメラ1を提供できることとなる。
【００５３】
尚、本発明は、以上の実施例に限定されるものでなく、発明の要旨を逸脱しない範囲で自由に変更、改良が可能である。
例えば、上記実施例では、レンズ側マウント部材55の開口を２枚の防塵扉65で塞ぐ構成にしたが、例えばカメラの絞りのように、複数枚の羽根で塞ぐ構成にしても良い。また、レンズ側マウント部材55の開口が小さければ、１枚の可動部材、すなわち、１枚の扉或は羽根で塞ぐことも可能である。
【００５４】
また、上記実施例では、防塵機構10の防塵扉65は、カメラ本体2への交換レンズ5の装着時又は当該カメラ本体2からの交換レンズ5の脱着時におけるレンズ鏡筒51の回転操作に連動して開閉する構成にしたが、防塵扉65の開閉は、カメラ本体2に対する交換レンズ5の着脱動作に連動するものであればよく、レンズ鏡筒51の回転操作に限定されない。
【符号の説明】
【００５５】
1   レンズ交換式カメラ
2   カメラ本体                      5   交換レンズ
10  防塵機構                        21  カメラ側マウント部材
25  係合受部                        26  係止突起
28  指標マーク                      51  レンズ鏡筒
52  指標マーク                      55  レンズ側マウント部材
55a 挿嵌部                          55b 係合部
55c 摺動レール                      61  可動環
61a 回動支持突起                    61b 回動軸
61c 防塵扉用突起                    61d 連結突起
63  固定環                          63a 可動環牽引突起
63b 防塵扉係止レール                65  防塵扉
65a 軸着部                          65b 開閉制御突起
71  閉鎖用弾性体                    73  環連結用弾性体
【図１】
2011017808.tif 000003
【図２】
2011017808.tif 000004
【図３】
2011017808.tif 000005
【図４】
2011017808.tif 000006
【図５】
2011017808.tif 000007